(57)【要約】【課題】長期に亘ってマイナスイオンを発生するロール状トイレットペーパーを提供する。【解決手段】ロール状トイレットペーパーの紙管内面に、焦電性物質からなる自発分極を持つ物質粒子単独、又は該自発分極を持つ物質粒子と該自発分極を持つ物質粒子をマイナスイオンを発生するように放射線を放出して励起する励起剤粒子とからなるマイナスイオン発生混合物を固定保持させてなるロール状トイレットペーパー。【選択図】  なし【特許請求の範囲】
【請求項１】
ロール状トイレットペーパーの紙管に自発分極を持つ物質粒子を固定保持させたことを特徴とするロール状トイレットペーパー。
【請求項２】
前記自発分極を持つ物質粒子がトルマリン粒子であることを特徴とする請求項１項記載のロール状トイレットペーパー。
【請求項３】
前記ロール状トイレットペーパーの紙管に、自発分極を持つ物質粒子と該自発分極を持つ物質粒子をマイナスイオンを発生するように放射線を放出して励起する励起剤粒子とからなるマイナスイオン発生混合物を固定保持させてなることを特徴とする請求項１又は２に記載のロール状トイレットペーパー。
【請求項４】
前記自発分極を持つ物質粒子の平均粒子径が０．２μｍ〜１０μｍであり、前記励起剤粒子が放射線量１４Ｂｑ／ｇ〜４０Ｂｑ／ｇの天然鉱石粒子であることを特徴とする請求項３記載のロール状トイレットペーパー。
【請求項５】
前記自発分極を持つ物質粒子と該自発分極を持つ物質粒子をマイナスイオンを発生するように放射線を放出して励起する励起剤粒子との粒子混合物からなる前記マイナスイオン発生混合物は、１個のトイレットロールの紙管に対して、自発分極を持つ物質粒子が０．００８ｍｇ以上となる量で固定保持されていることを特徴とする請求項３又は４に記載のロール状トイレットペーパー。
【請求項６】
前記自発分極を持つ物質粒子又は該自発分極を持つ物質粒子をマイナスイオンを発生するように放射線を放出して励起する励起剤粒子とからなるマイナスイオン発生混合物は、該自発分極を持つ物質粒子を含む液を紙管内面に塗布・乾燥することによって紙管内面に固定保持されていることを特徴とする請求項１〜５のいずれか１項に記載のロール状トイレットペーパー。
【請求項７】
前記自発分極を持つ物質粒子又は該自発分極を持つ物質粒子をマイナスイオンを発生するように放射線を放出して励起する励起剤粒子とからなるマイナスイオン発生混合物は、原紙を接着剤で貼り合わせながらトイレットペーパーの紙管を製造する際に、紙管の内面を成す原紙の表面に前記自発分極を持つ物質を含む液を塗布・乾燥して紙管に固定保持されていることを特徴とする請求項１〜６のいずれか１項に記載のロール状トイレットペーパー。
【請求項８】
前記自発分極を持つ物質粒子を含む液は、前記自発分極を持つ物質粒子を含む高分子エマルジョンであることを特徴とする請求項６又は７に記載のロール状トイレットペーパー。
【請求項９】
前記自発分極を持つ物質粒子を含む液は、前記自発分極を持つ物質粒子を含む液がインクであることを特徴とする請求項６又は７に記載のロール状トイレットペーパー。
【請求項１０】
前記インクは水性インクであることを特徴とする請求項９記載のロール状トイレットペーパー。
【発明の詳細な説明】
【０００１】
【発明の属するぎ技術分野】
本発明は、ロール状トイレットペーパーに関し、特に、ロール状トイレットペーパーの紙管内面にマイナスイオンを発生する自発分極を持つ物質粒子が固定保持されているロール状トイレットペーパーに関する。
【０００２】
【従来の技術】
従来、トイレ内に芳香を付与する手段としては、液体又は固体の芳香剤をトイレ内に設置する手段が採られているが、芳香が消失した時の芳香剤の補充等に手間がかかるものであった。そこで、近年、トイレットペーパーの紙管に芳香剤を塗布することにより、簡易に芳香が得られるロール状トイレットペーパーが提案されている。そのようなトイレットペーパーの例として、紙管内面に芳香性を有するマイクロカプセルを塗布したもの（特許文献１）、紙管内面に芳香を加えたパラジクロールベンゼンをコーティングしたもの（特許文献２）などがある。
【０００３】
しかしながら、上記従来技術においては、いずれも紙管の内面に芳香剤を塗布するものであるから、コスト上、多少なりとも有利に製造するためには、紙管製造用の原紙の状態で芳香剤を塗布し、その後、該原紙を紙管に加工することが必要である。ところが、この方法は芳香剤の塗布後製品に至るまでにかなりの時間がかかるため、その間に芳香が消散してしまう問題点が有った。
【０００４】
一方、マイナスイオンを発生する製品は、人体に種々の好影響を与えることが知られており、マイナスイオンを発生する粉体、樹脂、繊維、塗料、無機基材、紙及び布等の製造方法が知られている（特許文献３）。しかし、トイレ用の製品、特にロール状トイレットペーパーとしてマイナスイオン発生物質を使用したものは見当たらない。
【０００５】
【特許文献１】
実開昭５５−７７４９３号公報（実用新案登録請求範囲、第１図）
【特許文献２】
実開昭５６―１１１８９０号公報（実用新案登録請求範囲、第１図）
【特許文献３】
特開２００１−１９４２０号公報（請求項１、請求項１３）
【０００６】
【発明が解決しようとする課題】
本発明は、以上の事情を考慮してなされたもので、その主たる目的は、長期に亘って適度な芳香を維持するロール状トイレットペーパーに比肩されるものとして、マイナスイオンを発生するロール状トイレットペーパーを提供することにある。
【０００７】
【課題を解決するための手段】
本発明は、以下の各発明を包含する。
（１）ロール状トイレットペーパーの紙管に自発分極を持つ物質粒子を固定保持させたことを特徴とするロール状トイレットペーパー。
（２）  前記自発分極を持つ物質粒子がトルマリン粒子であることを特徴とする（１）項記載のロール状トイレットペーパー。
【０００８】
（３）前記ロール状トイレットペーパーの紙管に、自発分極を持つ物質粒子と、該自発分極を持つ物質粒子をマイナスイオンを発生するように放射線を放出して励起する励起剤粒子とからなるマイナスイオン発生混合物を固定保持させてなることを特徴とする（１）項又は（２）項に記載のロール状トイレットペーパー。
【０００９】
（４）前記自発分極を持つ物質粒子の平均粒子径が０．２〜１０μｍであり、前記自発分極を持つ物質粒子をマイナスイオンを発生するように放射線を放出して励起する励起剤粒子が放射線量１４〜４０Ｂｑ／ｇの天然鉱石粒子であることを特徴とする（３）項記載のロール状トイレットペーパー。
ここで、前記自発分極を持つ物質粒子の平均粒径は小さい程マイナスイオン発生量が多く、１０μｍ以下であることが好ましく、また、小さくし過ぎるとコスト高になるので２μｍ以上であることが好ましい。
【００１０】
（５）前記自発分極を持つ物質粒子又は該自発分極を持つ物質粒子と該自発分極を持つ物質粒子をマイナスイオンを発生するように放射線を放出して励起する励起剤粒子との粒子混合物からなる前記マイナスイオン発生混合物は、１個のトイレットロールの紙管に対して自発分極を持つ物質粒子が０．００８ｍｇ以上となる量で固定保持されていることを特徴とする（３）項又は（４）項に記載のロール状トイレットペーパー。
【００１１】
（６）前記自発分極を持つ物質粒子又は該自発分極を持つ物質粒子と該自発分極を持つ物質粒子をマイナスイオンを発生するように放射線を放出して励起する励起剤粒子との粒子混合物からなる前記マイナスイオン発生混合物は、該自発分極を持つ物質粒子を含む液を紙管内面に塗布・乾燥することによって紙管内面に固定保持されていることを特徴とする（１）項〜（５）項のいずれか１項に記載のロール状トイレットペーパー。
【００１２】
（７）前記自発分極を持つ物質粒子又は該自発分極を持つ物質粒子と該自発分極を持つ物質粒子をマイナスイオンを発生するように放射線を放出して励起する励起剤粒子との粒子混合物からなるマイナスイオン発生混合物は、原紙を接着剤で貼り合わせながらトイレットペーパーの紙管を製造する際に、紙管の内面を成す原紙の表面に前記自発分極を持つ物質粒子を含む液を塗布・乾燥して紙管に固定保持されていることを特徴とする（１）項〜（６）項のいずれか１項に記載のロール状トイレットペーパー。
【００１３】
（８）前記自発分極を持つ物質粒子を含む液は、前記自発分極を持つ物質粒子を含む高分子エマルジョンであることを特徴とする（６）項又は（７）項に記載のロール状トイレットペーパー。
【００１４】
（９）前記自発分極を持つ物質粒子を含む液は、前記自発分極を持つ物質粒子を含むインクであることを特徴とする（６）項又は（７）項に記載のロール状トイレットペーパー。
（１０）前記インクは水性インクであることを特徴とする（９）項記載のロール状トイレットペーパー。
【００１５】
（１１）前記自発分極を持つ物質粒子は、トルマリン、チタン酸鉛、タンタル酸リチウム、ニオブ酸リチウム及びチタン酸ジルコン酸鉛から選ばれる少なくとも１種であることを特徴とする（１）項〜（１０）項のいずれか１項に記載のロール状トイレットペーパー。
【００１６】
（１２）前記自発分極を持つ物質粒子をマイナスイオンを発生するように放射線を放出して励起する励起剤粒子は、放射線を放出する天然鉱石であるデービド鉱、ブランネル石、センウラン鉱、ニンギョウ石、リンカイウラン石、カルノー石、ツャムン石、メタチャムン石、フランセビル石、トール石、コフィン石、サマルスキー石、トリウム石、トロゴム石、長石、ジルコン及びモズナ石からなる鉱物粒子、これらの粒子あるいはこれらを一部含む鉱石の粒子をシリカなどと混合して焼結後、再び微細化した粒子から選ばれる放射線を放出する粒子であることを特徴とする（３）項〜（１１）項のいずれか１項に記載のロール状トイレットペーパー。
【００１７】
【発明の実施の形態】
本発明のロール状トイレットペーパーは、トイレットロール用紙管の内面に、自発分極を持つ物質粒子単独、又は自発分極を持つ物質粒子と該自発分極を持つ物質粒子がマイナスイオンを発生するように放射線を放出して励起する励起剤粒子との混合物から選ばれるマイナスイオン発生物質の粒子を固定保持させたトイレットロール用紙管を有している。
【００１８】
このようなトイレットロール用紙管は、トイレットロール用紙管の製造時に、幅６０〜１００ｍｍ、厚さ０．３〜１．０ｍｍ、坪量１６０ｇ／ｍ２程度の紙の巻き取りを二組用意し、これらを直径３５〜４５ｍｍの鉄芯等に一方の巻き取りから繰り出した前記紙（一番紙）をスパイラル状に巻き付ける工程において、鉄芯等と接する紙管の内面に自発分極を持つ物質粒子単独又は自発分極を持つ物質粒子と励起剤粒子との混合物を含有する液を塗工又は印字し、その後、もう一方の巻き取りから繰り出した前記紙（二番紙）に接着剤を塗工し、前記鉄芯などに巻き付けた一番紙に対し、スパイラル周期を変えてスパイラル状に巻き付けることにより製造することができる。
上記のように製造される連続した紙管は、次いで、トイレットロール原紙巻き取りを製造するのに適した長さに切られ、次の工程に送られる。
【００１９】
前記トイレットロール用紙管内面に固定保持される自発分極を持つ物質粒子としては、鉱石のなかで最も自発分極の大きいトルマリンをはじめとする焦電性物質が用いられる。焦電性物質としては、トルマリン、チタン酸鉛、タンタル酸リチウム、ニオブ酸リチウム、チタン酸ジルコン酸鉛などがある。
これらの焦電性物質は、フリーの状態で自発分極を有しており、結晶の温度が変化したときに、自発分極の温度依存性に由来してその変化分に相当する電荷が結晶表面に表れるという特徴を有している。
【００２０】
これらの焦電性物質はマイナスイオンを発生するなど、人体に種々の好影響を与えることが知られている。これらの焦電性物質からマイナスイオンを発生させるには、焦電性物質に放射線を当てて励起させる方法や、焦電性物質の表面を摩擦する方法等が知られている。
【００２１】
自発分極を持つ物質粒子を、マイナスイオンを発生させるように励起させる粒子としては、放射線を放出する天然鉱石であるデービド鉱、ブランネル石、センウラン鉱、ニンギョウ石、リンカイウラン石、カルノー石、ツャムン石、メタチャムン石、フランセビル石、トール石、コフィン石、サマルスキー石、トリウム石、トロゴム石、長石、ジルコン、モズナ石等があり、これらの微細粒子あるいはこれらを一部含む鉱石の微細粒子をシリカなどに混合して焼結後、再び微細化したものが放射線を放出する混合粒子として用いられる。これらの物質粒子の放射線量は、１４〜４０Ｂｑ／ｇであることが好ましい。１４Ｂｑ／ｇより小さいと励起効果が小さくなり好ましくないが、放射線量が大きくなり過ぎると人体への影響も考えられるので好ましくない。〔ちなみに、科学技術庁公示第２２号（放射線を放出する同位元素の数量等を定める件）において規制されている放射線量（濃度）は３７０Ｂｑ／ｇ以上である。〕
【００２２】
前記混合粒子を紙管製造時に紙管の内面の紙に保持接着させる前記混合粒子の保持剤としては、一般的なポリ酢酸ビニルエマルジョン、スチレン・アクリル酸アルキルエステル共重合体と、α−メチルスチレアクリル酸アルキルエステル共重合体の存在下に、スチレン・α−メチルスチレン・アクリル酸を乳化共重合して得られる水性エマルション樹脂が好ましい。
また、これら以外に、水ガラス、変性ポリ酢酸ビニルエマルジョン、場合によっては硬化型接着剤も使用される。保持剤の使用量は３０〜４０ｇ／ｍ２程度である。
【００２３】
また、保持剤としてはインクを使用することもできる。インクを用いる場合、インクの種類としては、有機溶剤中に顔料を分散させたもの、水に染料を溶解又は分散させているもの、ゲル状物に水性顔料を分散させているもの等、いずれのものであってもよい。
また、保持剤として水媒体を使用している保持剤を用いる場合、前記自発分極を持つ物質粒子を水中に均一に分散させるため、分散剤等が添加されていてもよい。
【００２４】
前記自発分極を持つ物質粒子に、該自発分極を持つ物質粒子がマイナスイオンを発生するように放射線を放出して励起する励起剤粒子を混合したマイナスイオン発生混合物は、通常のトイレットロールの紙管１本に対して該自発分極を持つ物質粒子が少なくとも０．００８ｍｇ以上、好ましくは０．００８〜４ｍｇ固定保持されている。０．００８ｍｇ未満では、マイナスイオン発生効果が充分でなく、４ｍｇを超えるとコストに見合う効果が得られない。但し、この数値は励起剤粒子を混合した場合の含有量であり、励起剤粒子を混合しない場合の自発分極を持つ物質粒子の含有量は４ｍｇ／本以上が好ましい。
【００２５】
一般的なトイレットロールの紙管である、直径４５ｍｍ、長さ１１４ｍｍの紙管の場合、紙管内面の面積は約０．０１６ｍ２であるが、自発分極を持つ物質粒子の紙管内面における固定保持領域に関しては、内面全面である必要はなく、上記の１本当りの固定保持量が確保される限り、内面の一部分に固定保持されている状態であってもよい。
【００２６】
紙管用の紙材料としては、クラフト紙、上質紙（酸性紙、中性紙）からなる一般的な紙管原紙といわれる、バージンパルプ（ＮＢＫＰ：針葉樹晒しクラフトパルプ）１００％で製造された原紙が好ましい。また、厚さは０．４ｍｍから１ｍｍ程度である。
【００２７】
【実施例】
以下本発明を実施例によりさらに詳細に説明する。
【００２８】
実施例１
自発分極を持つ物質粒子としてトルマリンを選択し、また、自発分極を持つ物質粒子をマイナスイオンを発生させるように励起させる粒子として長石及びジルコン（トリウム、ウランを含有）を選択し、さらに、プラスイオンの発生を押えたり、白色度を上げるためにカオリンとシリカを混合して、これらの鉱物を細かく粉砕し、平均粒径３μｍに調整した混合粒子を用意した。
このとき、混合粒子の各鉱石の構成比は、トルマリン４０質量部、カオリン１５質量部、シリカ１５質量部、長石１５質量部、ジルコン１５質量部であった。
次いで、前記混合粒子を本発明のトイレットペーパーの紙管内面に付着させるため、糊剤として、日本フーラー株式会社製、品名ポリビニルアルコール、品番「ＪＨＬ１２１−５２−Ｄ」を準備し、前記糊剤９５質量部に対して、前記混合粒子５質量部を加えて均一に攪拌混合し、糊剤と混合粒子の混合液を作成した。
【００２９】
一方、トイレットペーパー用紙管を製造するため、幅８０ｍｍ、厚さ約０．４ｍｍ、坪量１６０ｇ／ｍ２の巻取紙から繰り出した紙（一番紙）の一方の面に対して、前記混合液を８ｍｍ幅で、連続して１ｍ当たり５ｍｇ塗工し、直径４５ｍｍの鉄芯に前記塗工面が接するようにスパイラル状に巻き付け、更に幅８０ｍｍ、厚さ約０．４ｍｍ、坪量１６０ｇ／ｍ２の紙の巻取紙から繰り出した紙（二番紙）の一方の面に澱粉糊を塗工し、先に鉄芯に巻き付けた１番紙とは位相をずらしてスパイラル状に巻き付け、マイナスイオンを発生するトイレットペーパーの紙管を得た。
【００３０】
次いで、前記マイナスイオンを発生するトイレットペーパーの紙管を２５９０ｍｍ幅に裁断し、この紙管にバージンパルプ（ＮＢＫＰ：針葉樹晒しクラフトパルプ）１００％からなる坪量２１ｇ／ｍ２のトイレットペーパー用原紙をおよそ６０メートル巻き付け、両端部を４０ｍｍ前後カットした上で、幅１１４ｍｍで２２個に裁断し、実施例１のマイナスイオンを発生するトイレットペーパー（ロール状トイレットペーパー）を得た。
尚、実施例１におけるマイナスイオン発生混合物（自発分極を持つ物質粒子と励起剤粒子〉の含有量は、紙管１本当たり０．０５ｍｇであり、自発分極を持つ物質粒子（トルマリン）の含有量は、紙管１本当り０．０２ｍｇである。
【００３１】
実施例２
実施例１において用いた糊剤の代わりに、前記混合粒子を本発明のトイレットペーパーの紙管内面に付着させるための固定剤として、紀州技研工業株式会社製、品名ＰＣコーダー用インク、型番「Ｓ２−３０黒」を用意し、前記インク９５質量部に対して、実施例１で用いたものと同じ混合粒子５質量部を加え、均一に攪拌混合してインクと混合粒子との混合液を作成した。
一方、トイレットペーパー用紙管製造するため、実施例１と同じ１番紙の一方の面に対し、前記混合液をアルファベットの連続文字として、印字幅約８ｍｍ幅で、１ｍ当たり５ｍｇ塗工すること以外は、実施例１と同様の方法で実施例２のマイナスイオンを発生するロール状トイレットペーパーを得た。
【００３２】
実施例３
実施例１において用いた糊剤の代わりに水を用い、水９５質量部に対して、実施例１で用いたものと同じ混合粒子５質量部を加えて均一に攪拌混合し、混合粒子の水懸濁液を作成した。
一方、トイレットペーパー用紙管製造するため、実施例１と同じ１番紙の一方の面に対し、前記混合液を８ｍｍ幅で、１ｍ当たり５ｍｇ塗工すること以外は、実施例１と同様の方法で実施例３のマイナスイオンを発生するロール状トイレットペーパーを得た。
【００３３】
実施例４
実施例１において、混合液の組成を、糊剤９０質量部に対して、前記混合粒子１０質量部とすること以外は、実施例１と同様の方法で実施例４のマイナスイオンを発生するロール状トイレットペーパーを得た。
【００３４】
実施例５
実施例２において、混合液の組成をインク９０質量部に対して、前記混合粒子１０質量部とすること以外は、実施例２と同様の方法で実施例４のマイナスイオンを発生するロール状トイレットペーパーを得た。
【００３５】
実施例６
実施例３において、混合液の組成を水９０質量部に対して、前記混合粒子１０質量部とすること以外は、実施例３と同様の方法で実施例４のマイナスイオンを発生するロール状トイレットペーパーを得た。
【００３６】
比較例１
実施例１において、１番紙には何も塗工、印字しないこと以外は、実施例１と同じ方法で比較例１のロール状トイレットペーパーを得た。
【００３７】
次に、本発明の範囲であるが、自発分極を持つ物質粒子の含有量が少ない場合の例を示す。
実施例７
実施例１において、混合液の組成を糊剤９９．５質量部に対して、前記混合粒子０．５質量部とすること以外は、実施例１と同様の方法で実施例７のロール状トイレットペーパーを得た。
【００３８】
実施例８
実施例２において、混合液の組成をインク９９．５質量部に対して、前記混合粒子０．５質量部とすること以外は実施例２と同様の方法で、実施例８のロール状トイレットペーパーを得た。
【００３９】
実施例９
実施例３において、混合液の組成を水９９．５質量部に対して、前記混合粒子０．５質量部とすること以外は、実施例３と同様の方法で実施例９のロール状トイレットペーパーを得た。
【００４０】
実施例１〜６、実施例７〜９で得られたロール状トイレットペーパーのマイナスイオン及びプラスイオンの発生量を以下の方法で測定した。
2004261244.tif 000002
【００４１】
測定値  ：
（条件１）：ロール状トイレットペーパーがホルダーに装着され、静置されている状態を想定し、測定器空気取り入れ口より１０センチメートル離した場所に静置し、ロール穴面を空気取り入れ口側に向けて１０分間測定して平均値を算出した。（測定数Ｎ＝３）
条件１による測定結果を表１に示した。
【００４２】
（条件２）：ロール状トイレットペーパーを引き出して使用する場合を想定し、測定器空気取り入れ口より１０センチメートル離した場所に静置し、直径２０ｍｍの木製の棒を紙管内面に沿って毎秒１回転の速度で回転させながら、ロール穴面を空気取り入れ口側に向けて１０分間測定して平均値を算出した。（測定数Ｎ＝３）
条件２による測定結果を表２に示した。
【００４３】
【表１】
2004261244.tif 000003
【００４４】
実施例１〜３は、いずれもバックグラウンド値（何も置かないで測定した値）及び比較例１に比較して明らかなマイナスイオン数の増加が見られる。また、実施例４〜６においては、マイナスイオン数は更に増加している。一方、プラスイオン数に関しては、バックグラウンドに対して実施例１〜６がほぼ半減しており、比較例１は５０％ほど増加しているが、プラスイオン数に関しては、バックグラウンド、実施例、比較例とも、絶対値が小さいため、明確な差があるとまでは言い切れない。
【００４５】
また、表１によると、実施例７〜９は、個々の測定値を見るとバックグラウンド値よりも低い値も見られるが、平均値ではバックグラウンド値に対してマイナスイオン数が１．５〜２倍に増加している。また、プラスイオン数に関しては実施例１〜３と同じ傾向である。
【００４６】
【表２】
2004261244.tif 000004
【００４７】
表２は、条件１で測定した場合に比べて、自発分極を持つ物質粒子に対して物理的は刺激を加えることにより、実施例１〜６、実施例７〜９共にマイナスイオン、プラスイオンとも発生量が２〜３倍程度増えることを示している。
通常、ロール状トイレットペーパーは、専用ホルダーに取り付けて回転させて紙を引き出して使用するため、条件２で測定した結果が優れていることが好ましい。
また、最近見受けられる、中芯を用いずにトイレットロールの両端部を保持するホルダーにおいても、ロール芯内面に固定保持されている自発分極を持つ物質粒子は振動等の物理的刺激が加わるためにマイナスイオンの発生量の増加効果は得られる。
【００４８】
上記実施例においては、ロール状トイレットペーパーの紙管の内側に、自発分極を持つ物質粒子と、該自発分極を持つ物質粒子がマイナスイオンを発生するように励起する励起剤粒子の両方を含有する例について示したが、ロール状トイレットペーパーの紙管の内側に、トルマリンで代表される自発分極を持つ物質粒子のみを含有させることも有効である。この場合、ホルダーにセットされたトイレットペーパーを使用するときにトイレットペーパーの紙管が回転することにより、紙管内面とホルダーの軸面との摩擦が生じて自発分極を持つ物質粒子が励起され、マイナスイオンが発生するという作用があることから、紙管の内側という粒子の含有位置には特別の意味がある。
【００４９】
以上のように、本発明のロール状トイレットペーパーは、マイナスイオンを発生する物質として使用される自発分極を持つ物質粒子を紙管の内側面に固定保持させるものであるが、自発分極を持つ物質粒子は、他物体との摩擦接触や、振動付加等によっても励起されてマイナスイオンを発生することから、本発明は、このような自発分極を持つ物質粒子をロール状トイレットペーパーホルダーにおける軸芯部分やトイレットペーパー抑えカバー部分にも固定保持させることができるものである。
【００５０】
【発明の効果】
本発明によると、ロール状トイレットペーパーの紙管の内側に、自発分極を持つ物質粒子を固定保持させることにより、トイレットペーパーの紙管からマイナスイオンが発生し、トイレの環境が改善される。更に、該自発分極を持つ物質粒子と、該自発分極を持つ物質粒子をマイナスイオンが発生するように励起する励起剤の粒子との混合物からなるマイナスイオン発生粒子混合物として保持させることにより、紙管内側からのマイナスイオンの発生が更に多くすることを可能ならしめるものである。
また、従来のロール状トイレットペーパーに含有させていた芳香剤と比べ、長期間マイナスイオンを発生させることが可能であり、トイレ環境改善効果の持続期間が長いロール状トイレットペーパーを提供するものである。